(57)【要約】【課題】袋入り家庭用薄葉紙を埃等から保護し、利用しやすい袋入り家庭用薄葉紙用ケース、及びケースに収容して利用しやすい袋入り家庭用薄葉紙を提供する。【解決手段】袋入り家庭用薄葉紙用ケース１は、可撓性フィルムにより形成された袋本体の内部に折り畳んで交互に重ね合わされた家庭用薄葉紙２３を収容した袋入り家庭用薄葉紙２１を収容する収容部が内部に形成されたケース本体部２と、そのケース本体部２に、袋本体に収容された家庭用薄葉紙２３を引き出すための開口部と、ケース本体部２の内部の収容部に袋本体を止着するための止着手段とを有する。【選択図】図１
2008239208.tif 000002
【特許請求の範囲】
【請求項１】
可撓性フィルムにより形成された袋本体の内部に折り畳んで交互に重ね合わされた家庭用薄葉紙を収容した袋入り家庭用薄葉紙を収容する収容部が内部に形成されたケース本体部と、
そのケース本体部に、前記袋本体に収容された前記家庭用薄葉紙を引き出すための開口部と、
前記ケース本体部の内部の前記収容部に前記袋本体を止着するための止着手段と、を有する袋入り家庭用薄葉紙用ケース。
【請求項２】
前記ケース本体部は、箱状に形成され、その天面部に前記開口部が形成された請求項１に記載の袋入り家庭用薄葉紙用ケース。
【請求項３】
前記ケース本体部の側面部の内部側に前記止着手段を有する請求項２に記載の袋入り家庭用薄葉紙用ケース。
【請求項４】
前記ケース本体部の天面部の内部側に前記止着手段を有する請求項２に記載の袋入り家庭用薄葉紙用ケース。
【請求項５】
前記止着手段は、粘着剤、または面ファスナーにより構成される請求項１〜４のいずれか１項に記載の袋入り家庭用薄葉紙用ケース。
【請求項６】
前記ケース本体部は、透明または半透明部材によって形成された請求項１〜５のいずれか１項に記載の袋入り家庭用薄葉紙用ケース。
【請求項７】
前記ケース本体部は、ポリスチレン、ハイインパクトポリスチレン、アクリルニトルブタジエンスチレン、ポリエチレン、ポリプロピレン、ポリエチレンテレフタレート、ポリカーボネートのいずれかにより形成された請求項６に記載の袋入り家庭用薄葉紙用ケース。
【請求項８】
前記ケース本体部は、その側面部を形成するための第１フラップと、第２フラップとを備え、
前記第１フラップには、押し曲げられることにより突出する突出片が、切り込み線によって形成され、
前記第２フラップには、前記突出片を挿入することにより前記第１フラップを前記第２フラップに固定するための挿入部が形成された請求項１〜７のいずれか１項に記載の袋入り家庭用薄葉紙用ケース。
【請求項９】
可撓性フィルムにより形成されて内部に収容部が設けられた袋本体と、
その袋本体の前記収容部に収容された、折り畳んで交互に重ね合わされた家庭用薄葉紙と、
前記袋本体の外側に、袋入り家庭用薄葉紙用ケースの収容部に収容された場合に、前記袋入り家庭用薄葉紙用ケースに止着するための止着手段と、
を含む袋入り家庭用薄葉紙。
【発明の詳細な説明】
【技術分野】
【０００１】
本発明は、袋入り家庭用薄葉紙を収容する袋入り家庭用薄葉紙用ケース及び袋入り家庭用薄葉紙に関する。
【背景技術】
【０００２】
従来、フィルム等から形成された袋や紙製等の箱に、折り畳まれた家庭用薄葉紙を収容した袋入り家庭用薄葉紙や箱入り家庭用薄葉紙が知られている（例えば、特許文献１〜４）。これらの家庭用薄葉紙は、袋や箱に収容されているため、埃等から保護されるとともに、持ち運びもしやすく、家庭用薄葉紙が破れたりすることからも保護され、長期間の使用にも耐えうるため便利である。
【０００３】
一方、様々な使用目的に応じて工夫されたティシュペーパー箱や、ティシュペーパー箱を固定するための固定具等が開示されている。例えば、特許文献５では、紙資源の無駄使いを防止するための詰め替え用ティシュペーパー箱が開示されている。また、特許文献６では、固定機能を付加したティシュカートンが開示されている。
【０００４】
さらに、特許文献７では、ティシュペーパー箱等を収容して固定するティシュペーパー箱等の取付け具や、特許文献８，９では、自動車用ティシュペーパー箱の固定具が開示されている。
【０００５】
【特許文献１】実開昭５６−８０７９６号公報
【特許文献２】特開２０００−３３９７８号公報
【特許文献３】特開２００１−３４０２５７号公報
【特許文献４】特開平８−９１４２９号公報
【特許文献５】実開平７−８８０号公報
【特許文献６】特開平９−１６９３７０号公報
【特許文献７】特開２００２−２８３４号公報
【特許文献８】特開平８−２９０７４７号公報
【特許文献９】特開平６−８３４６４号公報
【発明の開示】
【発明が解決しようとする課題】
【０００６】
家庭等で気軽に利用される袋入り家庭用薄葉紙を保護するための薄葉紙用ケースが求められているが、上記開示は、ティシュペーパーを詰め替える詰め替え用ティシュペーパー箱や、ティシュペーパーを収容したティシュペーパー箱を固定するための固定具であり、袋入り家庭用薄葉紙を収容するケースではない。さらに、家庭用薄葉紙が収容された袋に印刷された図柄等が損なわれずに、かつ、中の残量が確認できるものが望まれている。
【０００７】
本発明の課題は、袋入り家庭用薄葉紙を埃等から保護し、利用しやすい袋入り家庭用薄葉紙用ケース、及びケースに収容して利用しやすい袋入り家庭用薄葉紙を提供することにある。
【課題を解決するための手段】
【０００８】
ケース本体部の内部の収容部に袋入り家庭用薄葉紙の袋本体を止着するための止着手段を備えることにより、袋内の家庭用薄葉紙の残量が減少しても、袋本体がケース本体部に固定され、家庭用薄葉紙を取り出しやすくすることが可能であることを見出した。すなわち、本発明によれば、以下の袋入り家庭用薄葉紙用ケースが提供される。
【０００９】
［１］  可撓性フィルムにより形成された袋本体の内部に折り畳んで交互に重ね合わされた家庭用薄葉紙を収容した袋入り家庭用薄葉紙を収容する収容部が内部に形成されたケース本体部と、そのケース本体部に、前記袋本体に収容された前記家庭用薄葉紙を引き出すための開口部と、前記ケース本体部の内部の前記収容部に前記袋本体を止着するための止着手段と、を有する袋入り家庭用薄葉紙用ケース。
【００１０】
［２］  前記ケース本体部は、箱状に形成され、その天面部に前記開口部が形成された前記［１］に記載の袋入り家庭用薄葉紙用ケース。
【００１１】
［３］  前記ケース本体部の側面部の内部側に前記止着手段を有する前記［２］に記載の袋入り家庭用薄葉紙用ケース。
【００１２】
［４］  前記ケース本体部の天面部の内部側に前記止着手段を有する前記［２］に記載の袋入り家庭用薄葉紙用ケース。
【００１３】
［５］  前記止着手段は、粘着剤、または面ファスナーにより構成される前記［１］〜［４］のいずれかに記載の袋入り家庭用薄葉紙用ケース。
【００１４】
［６］  前記ケース本体部は、透明または半透明部材によって形成された前記［１］〜［５］のいずれかに記載の袋入り家庭用薄葉紙用ケース。
【００１５】
［７］  前記ケース本体部は、ポリスチレン、ハイインパクトポリスチレン、アクリルニトルブタジエンスチレン、ポリエチレン、ポリプロピレン、ポリエチレンテレフタレート、ポリカーボネートのいずれかにより形成された前記［６］に記載の袋入り家庭用薄葉紙用ケース。
【００１６】
［８］  前記ケース本体部は、その側面部を形成するための第１フラップと、第２フラップとを備え、前記第１フラップには、押し曲げられることにより突出する突出片が、切り込み線によって形成され、前記第２フラップには、前記突出片を挿入することにより前記第１フラップを前記第２フラップに固定するための挿入部が形成された前記［１］〜［７］のいずれかに記載の袋入り家庭用薄葉紙用ケース。
【００１７】
［９］  可撓性フィルムにより形成されて内部に収容部が設けられた袋本体と、その袋本体の前記収容部に収容された、折り畳んで交互に重ね合わされた家庭用薄葉紙と、前記袋本体の外側に、袋入り家庭用薄葉紙用ケースの収容部に収容された場合に、前記袋入り家庭用薄葉紙用ケースに止着するための止着手段と、を含む袋入り家庭用薄葉紙。
【発明の効果】
【００１８】
本発明の袋入り家庭用薄葉紙用ケースは、袋入り家庭用薄葉紙用ケースに袋入り家庭用薄葉紙を収容することにより、埃等から家庭用薄葉紙を保護することができる。また、ケース本体部の内部に止着手段を備えており、内部の収容部に収容された袋入り家庭用薄葉紙を固定することができる。このため、袋内の家庭用薄葉紙の残量が減少しても、袋本体がケース本体部に固定されるために、家庭用薄葉紙を取り出しやすい。
【００１９】
本発明の止着手段を備えた袋入り家庭用薄葉紙によれば、ケースに収容された場合に、ケースに固定されるために、袋内の家庭用薄葉紙の残量が減少しても、家庭用薄葉紙を取り出しやすい。
【発明を実施するための最良の形態】
【００２０】
以下、図面を参照しつつ本発明の実施の形態について説明する。本発明は、以下の実施形態に限定されるものではなく、発明の範囲を逸脱しない限りにおいて、変更、修正、改良を加え得るものである。
【００２１】
図１に本発明の袋入り家庭用薄葉紙用ケースの一実施形態を示す。図１は、袋入り家庭用薄葉紙用ケース（以下、単にケースともいう）１の内部に、袋入り家庭用薄葉紙２１が収容された斜視図である。図２は、ケース１の展開図である。ケース１は、可撓性フィルムにより形成された袋本体２２の内部に折り畳んで交互に重ね合わされた家庭用薄葉紙２３を収容した袋入り家庭用薄葉紙２１を収容する収容部が内部に形成されたケース本体部２と、そのケース本体部２に、袋本体２２に収容された家庭用薄葉紙２３を引き出すための開口部３と、ケース本体部２の内部の収容部に袋本体２２を止着するための止着手段４とを有する。
【００２２】
ケース本体部２は、箱状に形成され、その内部が収容部とされ、収容部に収容された家庭用薄葉紙２３を取り出すための開口部３が天面部２ａに形成されている。そして、図３に示すように、ケース本体部２の側面部２ｂの内部側に、袋本体２２を止着する止着手段４を有する。
【００２３】
止着手段４は、粘着剤、または面ファスナー等により構成される。具体的には、例えば、両面テープをケース本体部２の内側に貼付することにより、止着手段４としての粘着剤を備えることができる。または、図４に示すような機械的結合を用いる面ファスナーをケース本体部２の内側に、また袋本体２２に貼付することにより、止着手段４としてもよい。或いは、面ファスナーは、例えば、表面に多数の突起（鉤状、きのこ状、錨状等）が形成された凸部材（フック材）と、表面にループ状の繊維が配置された凹部材（ループ材）とを組み合わせたもの等を用いることができる。この面ファスナーは、ループ材の表面にフック材を重ね合わせ、フック材の多数の突起をループ材の表面に係合させることにより、両部材を剥離可能な状態に、かつ、強固に固着させることができるものである。
【００２４】
ケース本体部２は、透明または半透明部材によって形成されるとよい。このように構成すると、ケース本体部２内の収容部内に収容された袋入り家庭用薄葉紙２１をケース本体部２を通して見ることができる。すなわち、袋入り家庭用薄葉紙２１の袋本体２２に施された印刷を眺めることができるため、意匠性がよく、かつ袋入り家庭用薄葉紙２１内の家庭用薄葉紙２３の残量を確認することもできる。ケース本体部２は、例えば、ポリスチレン、ハイインパクトポリスチレン、アクリルニトルブタジエンスチレン、ポリエチレン、ポリプロピレン、ポリエチレンテレフタレート、ポリカーボネート等を用いて形成することができる。
【００２５】
図５に示すように、ケース１のケース本体部２は、その側面部２ｂを形成するための第１フラップ２ｃと、第２フラップ２ｄとを備える。第１フラップ２ｃは、天面部２ａに接続され、押し曲げられることにより突出する突出片７が、切り込み線８によって形成されている。また、第２フラップ２ｄは、底面部２ｅに接続され、突出片７を挿入することにより第１フラップ２ｃを第２フラップ２ｄに固定するための挿入部９が形成されている。
【００２６】
図６に、第１フラップ２ｃ及び第２フラップ２ｄを含む要部断面図を示す。ケース１の収容部に袋入り家庭用薄葉紙２１（図示せず）を収容して、第２フラップ２ｄの挿入部９へ第１フラップ２ｃの突出片７を挿入することにより、第１フラップ２ｃを第２フラップ２ｄに固定することができる。また、第１フラップ２ｃを所定以上の力で引き上げることにより、側面部２ｂを開けることが可能である。つまり、第１フラップ２ｃ及び第２フラップ２ｄにより側面部２ｂが開閉自在に構成されており、袋入り家庭用薄葉紙２１を出し入れすることができる。このため、ケース１は、家庭用薄葉紙２３が無くなった場合にも、新たな袋入り家庭用薄葉紙２１を入れることにより、再利用が可能である。
【００２７】
次に、ケース１に収容される袋入り家庭用薄葉紙２１の一例について説明する。図７は、袋入り家庭用薄葉紙２１の斜視図である。可撓性フィルムにより形成されて内部に収容部が設けられた袋本体２２と、その袋本体２２の収容部に収容された、折り畳んで交互に重ね合わされた家庭用薄葉紙２３とを含んで構成されている。
【００２８】
袋本体２２は、可撓性フィルムにより構成されている。可撓性フィルムとしては、例えば、ポリエチレン、ポリプロピレン等のポリオレフィン類等を用いることができるが、その他のものであってもよい。袋本体２２の一部を収容部内の家庭用薄葉紙２３の残量を確認するために残量視認部とするために、透明、または半透明の材料により形成することが好ましい。なお、残量視認部以外は、印刷等が施されていてもよい。
【００２９】
袋本体２２の厚みは、２０〜５０μｍ程度であることが好ましい。２０μｍ未満になると、家庭用薄葉紙２３を保持するための強度が不十分となったり、また熱融着により袋本体２２を密封する場合に、融着部が裂ける等の問題が生じる。一方、５０μｍを超えて厚くなると、熱融着等の加工性が悪くなり、生産性が大幅に低下するようになる。
【００３０】
袋本体２２は、家庭用薄葉紙２３を収容しうる扁平な袋状に構成される。その大きさは、収容される家庭用薄葉紙２３の形状やサイズにより適宜選択されればよいが、例えば、縦１３０ｍｍ×横１９７ｍｍの家庭用薄葉紙２３が折り曲げられて３４０枚（１７０組）収容されるように、縦１０３×横１３０×高さ６０ｍｍ（家庭用薄葉紙２３の縦が袋本体２２の横に沿うように収容される）程度に形成することができる。
【００３１】
袋本体２２には、その表面の中央部に、表面の長辺方向に沿って、長辺よりも短い長さのスリット予定部２５ａがミシン目によって形成されている。このミシン目を裂開することにより、スリット予定部２５ａが開口されてスリット部２５とされる。そのミシン目の強さは、４〜８Ｎ／ｃｍの力により裂開されるように形成されるとよい。スリット部２５から、収容部内に収容されている家庭用薄葉紙２３を引き出すことができる。
【００３２】
袋本体２２内の家庭用薄葉紙２３は、その短辺２３ｓ（上述の縦）側が袋本体２２の長辺２２ｌ（上述の横）に沿うように、Ｉフォールド（インターフォールドとも言う）に折り畳まれて収容されており、図８に示すようにスリット部２５において家庭用薄葉紙２３の幅、すなわち短辺２３ｓが縮められながら引き出される。このとき、引き出される家庭用薄葉紙２３の幅が縮むために、次の層の家庭用薄葉紙２３との摩擦力が増大すると共に、家庭用薄葉紙２３とスリット部２５との摩擦力が減少することにより、次の層の家庭用薄葉紙２３が静音かつ容易に引き出し可能となる。また、収容部内の家庭用薄葉紙２３の残量が減少した場合でも、容易に家庭用薄葉紙２３を引き出すことができる。
【００３３】
なお、本明細書において、家庭用薄葉紙とは、ティシュペーパー（顔ふき紙、化粧紙とよばれるもの）、ちり紙、ペーパータオル（キッチンペーパー等）、トイレットペーパー（ロールを除く）、ワッティング（紙綿）等の使い捨て紙を総称する概念である。
【００３４】
上述のように、家庭用薄葉紙２３が連続的に引き出されやすい効果を得るためには、袋本体２２の表面２２ｂの中央部に形成されたスリット部２５が、表面２２ｂの長辺方向に沿って、家庭用薄葉紙２３の短辺２３ｓ１００〜１８５ｍｍに対し３０％〜７０％の長さであることが好ましい。また、家庭用薄葉紙２３は、１〜４枚を一組として、いわゆるＩフォールドに折り畳まれ、第１層の家庭用薄葉紙２３の間（内側）に、異なる向きの第２層の家庭用薄葉紙２３が挟み込まれて積層され、以下順々に次の層を挟み込んで交互に重ね合わされているとよい。家庭用薄葉紙２３は、その１枚当たりのＪＩＳ  Ｐ  ８１２４で規定する坪量が、１１〜２５ｇ／ｍ２、好ましくは１２〜１６ｇ／ｍ２、より好ましくは１４ｇ／ｍ２であるものを使用するとよい。さらに、家庭用薄葉紙２３は、クレープ率が１２〜３５％、好ましくは、１４〜２０％、さらに好ましくは、１７％であるものを使用するとよい。なおクレープ率は、抄紙機におけるドライヤーパートの周速度と巻取部の周速度の差によって付与され、かつ下記式によって規定される。
クレープ率 ＝１００×（ドライヤー周速度−巻取部周速度）／巻取部周速度
【００３５】
つまりヤンキードライヤー表面からドクターブレードによってティシュペーパーを掻き取る際の周速差によって生じる撓みがティシュペーパーに皺を生じさせる。さらに、家庭用薄葉紙２３は、エンボス加工が施されていてもよい。この家庭用薄葉紙２３は、エンボスを付加する事により、見掛けの嵩膨らみ製品高さは、３０〜１２０ｍｍである。エンボス加工としては、マッチドスチール、ネステッド、ピロー、ラバースチール等が挙げられる。さらにマッチドスチールとしては、雄雌ギャップ式やＰｉｎ  ｔｏ  Ｆｌａｔの接触タイプがある。エンボス加工が施されていると、複数枚を一組とされた家庭用薄葉紙２３がより引き出しやすくなる。以上のようなスリット部２５の長さ、積層方法、坪量、クレープ率、及びエンボス加工を採用することにより、より効果的に引き出し効果を得ることができる。
【００３６】
図７に示すように、袋本体２２は、その側面に印刷の施されていない非印刷部２７が形成され、その非印刷部２７が家庭用薄葉紙２３の残量を視認するための残量視認部とされている。つまり、残量視認部は、透明または半透明であるため、利用者は、家庭用薄葉紙２３の残量を容易に確認することができる。
【００３７】
以上のような袋入り家庭用薄葉紙２１は、袋本体２２内の家庭用薄葉紙２３を連続的に引き出しやすく、家庭用薄葉紙２３の残量が減少しても、同様の効果を維持しやすい。また、密封部２８が非印刷部２７とされているため、製造時の熱融着等が容易に行えるのみならず、使用時にも利用者が家庭用薄葉紙２３の残量を確認しやすい。
【００３８】
以上のような袋入り家庭用薄葉紙２１を、ケース１に収容することにより、防塵効果が得られる。また、ケース１が透明または半透明の部材により形成されていることにより、家庭用薄葉紙２３の残量が視認しやすい。ケース１の内側に止着手段が備えられていることにより、袋入り家庭用薄葉紙２１をケース１内にて固定することができる。このため、家庭用薄葉紙２３の残量が減少した場合でも、袋本体２２が潰れずに見栄えがよく、取出しもしやすい。
【００３９】
以上の実施形態において、止着手段４は、側面部２ｂに設けられている場合を説明したが、図９に示すように、ケース本体部２の天面部２ａの内部（収容部）側に止着手段４を有するように構成してもよい。この場合においても、家庭用薄葉紙２３の残量が減少した場合でも袋本体２２が潰れることを防止することができる。
【００４０】
図７に示すように、可撓性フィルムにより形成されて内部に収容部が設けられた袋本体２２の外側に、袋入り家庭用薄葉紙用ケース１の収容部に収容された場合に、袋入り家庭用薄葉紙用ケース１に止着するための止着手段４を備えるようにしてもよい（もちろん、ケース１に止着手段４が備えられている場合は、なくてもよい。）。このようにすれば、ケース１に止着手段が備えられていない場合でも、袋入り家庭用薄葉紙２１を固定することができる。また、止着手段を袋入り家庭用薄葉紙２１とケース１との双方に備えるようにしてもよい。
【産業上の利用可能性】
【００４１】
本発明の袋入り家庭用薄葉紙用ケースは、埃等から袋入り家庭用薄葉紙を保護するケースとして利用することができる。
【図面の簡単な説明】
【００４２】
【図１】袋入り家庭用薄葉紙が収容された袋入り家庭用薄葉紙用ケースの斜視図である。
【図２】袋入り家庭用薄葉紙用ケースの展開図である。
【図３】袋入り家庭用薄葉紙用ケースの断面図である。
【図４】面ファスナーをケース本体部と袋本体に備える実施形態を示す図である。
【図５】第１フラップ及び第２フラップを示す斜視図である。
【図６】第１フラップ２ｃ及び第２フラップ２ｄを含む要部断面図である。
【図７】袋入り家庭用薄葉紙を示す斜視図である。
【図８】家庭用薄葉紙の引き出しを説明する説明図である。
【図９】袋入り家庭用薄葉紙が収容された袋入り家庭用薄葉紙用ケースの他の実施形態を示す斜視図である。
【符号の説明】
【００４３】
１：袋入り薄葉紙用ケース、２：ケース本体部、２ａ：天面部、２ｂ：側面部、２ｃ：第１フラップ、２ｄ：第２フラップ、２ｅ：底面部、３：開口部、４：止着手段、７：突出片、８：切り込み線、９：挿入部、２１：袋入り家庭用薄葉紙、２２：袋本体、２２ｂ：表面、２２ｌ：長辺、２３：家庭用薄葉紙、２３ｓ：短辺、２５：スリット部、２５ａ：スリット予定部、２７：非印刷部、２８：密封部。
【図１】
2008239208.tif 000003
【図２】
2008239208.tif 000004
【図３】
2008239208.tif 000005
【図４】
2008239208.tif 000006
【図５】
2008239208.tif 000007
【図６】
2008239208.tif 000008
【図７】
2008239208.tif 000009
【図８】
2008239208.tif 000010
【図９】
2008239208.tif 000011